(57)【要約】  【課題】自然に立った姿勢で農作業が可能で、しかも水はけや強風、遮光、防虫対策などが容易な嵩上げ土壌台を実現する。  【解決手段】高さが地面から６０〜１１０ｃｍで、大人の腰高程度の高さの平行壁からなる矩形状その他のコンクリート枠を形成し、その中には、地面と連続して土壌を収納する構成であるため、コンクリート枠内の土壌を利用して野菜や花卉などを栽培する際に、自然に立った姿勢で農作業が可能となるので、従来の露地栽培やハウス栽培のように不自然な姿勢で作業する必要がなく、腰痛防止や疲労軽減が可能となる。平行壁にアーチパイプを取付けて被覆材を張れば、高さが低いので風当たりが弱く、構造が堅牢なため、強風対策にも適している。【選択図】  図５
2008061613.tif 000002
【特許請求の範囲】
【請求項１】
高さが地面から６０〜１１０ｃｍの平行壁を有する矩形状その他のコンクリート枠を形成してその中に、地面と連続して土壌を収納してあり、自然に立った姿勢で農作業を可能としたことを特徴とする嵩上げ土壌台。
【請求項２】
地中にガイドとなる支柱を一定の間隔で立て、これらのガイド支柱を用いて、コンクリートパネルを立てることによって、前記平行壁を形成して成ることを特徴とする請求項１に記載の嵩上げ土壌台。
【請求項３】
底部が水平のＵ字状支持骨を所定の間隔で地面に設置し、それぞれの支持骨の支柱部内面にコンクリートパネルを支持することによって、前記平行壁を形成して成ることを特徴とする請求項１に記載の嵩上げ土壌台。
【請求項４】
前記平行壁は上側が開くように傾斜しており、その上端に、被覆材用の支持パイプの両端を挿入する縦孔を平行壁側面と平行に開けてあることを特徴とする請求項１、請求項２または請求項３に記載の嵩上げ土壌台。
【請求項５】
前記のコンクリートパネルの上側外面には、被覆材の取付け手段を有することを特徴とする請求項１から請求項４までのいずれかの項に記載の嵩上げ土壌台。
【請求項６】
前記の矩形状その他のコンクリート枠を、前記平行壁同士が平行するように複数組配列し、隣接するコンクリート枠の間に作業用の通路を設けてなることを特徴とする請求項１から請求項５までのいずれかの項に記載の嵩上げ土壌台。
【請求項７】
高さが地面から６０〜１１０ｃｍの平行壁から成る矩形状その他のコンクリート枠を形成して、その中に、地面と連続して土壌を収納してなる嵩上げ土壌台において、
前記平行壁の上端に設けた縦孔に支持パイプの両端を挿入して支持し、各支持パイプ上に被覆材を被せることによって、強風対策を可能とすることを特徴とする嵩上げ土壌台による強風対策法。
【請求項８】
前記平行壁の外側に設けた固定手段によって、前記被覆材の上に張った線材の両端を取付け固定し、前記平行壁の上側外面に設けた被覆材取付け手段によって、被覆材の端部を取付け固定することを特徴とする請求項７に記載の嵩上げ土壌台による強風対策法。
【発明の詳細な説明】
【技術分野】
【０００１】
本発明は、自然に立った姿勢で農作業が可能で、しかも水はけや強風、遮光、防虫対策などが容易な嵩上げ土壌台に関する。
【背景技術】
【０００２】
特開2001−103844号に記載のように、設置場所の大きさの変化に応じて、一方向に連結し増設が可能なプランターが提案されている。増設可能とするために、矩形のプランターの１組の対向壁は底版と一体のほぼＵ字状をしており、他の１組の対向壁は着脱構造になっているので、増設に際しては、着脱式の側壁を取り外したプランター同士を連結して延長し、その両端のみに側壁を装着することで、任意の長さに設定したり、変更できる。
【特許文献１】特開2001−103844
【発明の開示】
【発明が解決しようとする課題】
【０００３】
しかしながら、このような構造に改善したとしても、底版が一体化されているため、水はけが良くない。また、強風、遮光、防虫などに対する対策は全くなされていない。特に、プランターの場合は、高さが低いため、野菜や花木などを栽培する際の作業が中腰となり、不自然な姿勢となる。その結果、腰痛を来すなど、特に後継者不足の農業において、高齢者が農作業する場合に大きな負担となっている。本発明の技術的課題は、このような問題に着目し、野菜や花卉栽培などの農作業が自然に立った姿勢ででき、しかも強風や水はけ、遮光、防虫、温度管理などの対策も容易な嵩上げ式の土壌を実現することにある。
【課題を解決するための手段】
【０００４】
本発明の技術的課題は次のような手段によって解決される。請求項１は、高さが地面から６０〜１１０ｃｍの平行壁を有する矩形状その他のコンクリート枠を形成してその中に、地面と連続して土壌を収納してあり、自然に立った姿勢で農作業を可能としたことを特徴とする嵩上げ土壌台である。平行壁とは、左右の側壁同士が互いに平行状態であることを指す。このように、高さが地面から６０〜１１０ｃｍで、大人の腰高程度の高さの平行壁からなる矩形状その他のコンクリート枠を形成し、その中には、地面と連続して土壌を収納する構成であるため、コンクリート枠内の土壌を利用して野菜や花卉などを栽培する際に、自然に立った姿勢で農作業が可能となるので、従来の露地栽培やハウス栽培のように不自然な姿勢で作業する必要がなく、腰痛防止や疲労軽減が可能となる。平行壁の高さが６０ｃｍ未満だと、低過ぎて、作業時に不自然な姿勢となり、１１０ｃｍ以上だと、高過ぎて作業しづらい。なお、コンクリートの平行壁は、コンクリート打設でも、コンクリートブロックの積み重ねでも、コンクリートパネルの組立てでもよく、特に限定されない。
【０００５】
請求項２は、地中にガイドとなる支柱を一定の間隔で立て、これらのガイド支柱を用いて、コンクリートパネルを立てることによって、前記平行壁を形成して成ることを特徴とする請求項１に記載の嵩上げ土壌台である。このように、例えばＨ型鋼などのガイド支柱を地中に一定の間隔で立て、これらのガイド支柱を用いて、コンクリートパネルを立てることによって、前記平行壁を形成してなる構成は、一定間隔のガイド支柱でコンクリートパネルを支持し、コンクリート枠を実現できるので、工場生産したコンクリートパネルを組み立てるだけでコンクリート枠を施工でき、簡便で量産に適し、安価に実現できる。
【０００６】
請求項３は、底部が水平のＵ字状支持骨を所定の間隔で地面に設置し、それぞれの支持骨の支柱部内面にコンクリートパネルを支持することによって、前記平行壁を形成して成ることを特徴とする請求項１に記載の嵩上げ土壌台である。このように、底部が水平のＵ字状支持骨を所定の間隔で地面に設置し、それぞれの支持骨の支柱部内面にコンクリートパネルを支持する構造にすると、コンクリートパネルを支持するための支柱部の設置が容易で、コンクリート枠の施工が簡便となる。しかも、各コンクリートパネルの内側に土壌を収納することによって、各コンクリートパネルが内側から支柱部側に押されて、各コンクリートパネルが安定に支持されるので、各コンクリートパネルは、支柱部の内面に立てるだけで施工でき、簡便である。
【０００７】
請求項４は、前記平行壁は上側が開くように傾斜しており、その上端に、被覆材用の支持パイプの両端を挿入する縦孔を平行壁側面と平行に開けてあることを特徴とする請求項１、請求項２または請求項３に記載の嵩上げ土壌台である。このように、前記平行壁は上拡がりに傾斜しているため、その上端に開けてある縦孔も上拡がりに傾斜している。その結果、このように上拡がりに傾斜している縦孔に被覆材用支持パイプの両端を挿入した状態で、被覆材に強風が作用した場合は、アーチ状の支持パイプ先端が縦孔に入り込む方向の力を受けるため、被覆材が剥がされる恐れはない。また、支持パイプ両端の上拡がりに傾斜している部分で左右の縦孔を挟む状態となっているので、支持パイプ全体が容易に離脱する恐れはない。さらに、前記平行壁は、上側が開くように傾斜しているので、平行壁の外側で立って作業する際に、平行壁の地面側がコンクリート枠内側に退避することになって、足を踏み込むための空間ができ、嵩上げ土壌上の植物が間近に近寄ることになり、手作業が楽になる。
【０００８】
請求項５は、前記のコンクリートパネルの上側外面には、被覆材の取付け手段を有することを特徴とする請求項１から請求項４までのいずれかの項に記載の嵩上げ土壌台である。このように、コンクリートパネルの上側外面には被覆材の取付け手段を有するので、アーチ状パイプの上に被せた被覆材の端部を確実に平行壁側に固定して、ハウス内の植物が台風で損傷したりするのを防止でき、被覆材の端部の強風によるばたつきも抑止できる。
【０００９】
請求項６は、前記の矩形状その他のコンクリート枠を、前記平行壁同士が平行するように複数組配列し、隣接するコンクリート枠の間に作業用の通路を設けてなることを特徴とする請求項１から請求項５までのいずれかの項に記載の嵩上げ土壌台である。このように、複数組のコンクリート枠を配列し、隣接するコンクリート枠の間に作業用の通路を設けてあるため、通路を利用して運搬したり、通路両側のコンクリート枠中の土壌を管理したり農作業ができて、便利である。
【００１０】
請求項７は、高さが地面から６０〜１１０ｃｍの平行壁から成る矩形状その他のコンクリート枠を形成して、その中に、地面と連続して土壌を収納してなる嵩上げ土壌台において、前記平行壁の上端に設けた縦孔に支持パイプの両端を挿入して支持し、各支持パイプ上に被覆材を被せることによって、強風対策を可能とすることを特徴とする嵩上げ土壌台による強風対策法である。このように、高さが地面から６０〜１１０ｃｍの平行壁から成る矩形状その他のコンクリート枠を形成して、その中に、地面と連続して土壌を収納してなる嵩上げ土壌台において、前記平行壁の上端に設けた縦孔に支持パイプの両端を挿入して支持し、各支持パイプ上に被覆材を被せるため、強風を受けても、通常のハウスに比較して高さが極端に低いので風当たりが弱く、強風で被覆材が破損して内部の植物を損傷するのを防止でき、強風対策に好適である。
【００１１】
請求項８は、前記平行壁の外側に設けた固定手段によって、前記被覆材の上に張った線材の両端を取付け固定し、前記平行壁の上側外面に設けた被覆材取付け手段によって、被覆材の端部を取付け固定することを特徴とする請求項７に記載の嵩上げ土壌台による強風対策法である。このように、前記平行壁の外側に設けた固定手段によって、前記被覆材の上に張った線材の両端を取付け固定できるため、強風時の被覆材のばたつきを抑制できる。被覆材の端部を固定してない状態では、前記線材を外すだけで容易に被覆材を開けて、ハウス内部の作業が可能となる。また、平行壁の上側外面に設けた被覆材取付け手段によって、被覆材の端部を取付け固定できるので、被覆材端部のばたつきを抑制できるほか、強風がハウス内に入るのを防止でき、被覆材や植物に対する強風対策が確実となる。
【発明の効果】
【００１２】
請求項１のように、高さが地面から６０〜１１０ｃｍで、大人の腰高程度の高さの平行壁からなる矩形状その他のコンクリート枠を形成し、その中には、地面と連続して土壌を収納する構成であるため、コンクリート枠内の土壌を利用して野菜や花卉などを栽培する際に、自然に立った姿勢で農作業が可能となるので、従来の露地栽培やハウス栽培のように不自然な姿勢で作業する必要がなく、腰痛防止や疲労軽減が可能となる。
【００１３】
請求項２のように、例えばＨ型鋼などのガイド支柱を地中に一定の間隔で立て、これらのガイド支柱を用いて、コンクリートパネルを立てることによって、前記平行壁を形成してなる構成は、一定間隔のガイド支柱でコンクリートパネルを支持し、コンクリート枠を実現できるので、工場生産したコンクリートパネルを組み立てるだけでコンクリート枠を施工でき、簡便で量産に適し、安価に実現できる。
【００１４】
請求項３のように、底部が水平のＵ字状支持骨を所定の間隔で地面に設置し、それぞれの支持骨の支柱部内面にコンクリートパネルを支持する構造にすると、コンクリートパネルを支持するための支柱部の設置が容易で、コンクリート枠の施工が簡便となる。しかも、各コンクリートパネルの内側に土壌を収納することによって、各コンクリートパネルが内側から支柱部側に押されて、各コンクリートパネルが安定に支持されるので、各コンクリートパネルは、支柱部の内面に立てるだけで施工でき、簡便である。
【００１５】
請求項４のように、前記平行壁は上拡がりに傾斜しているため、その上端に開けてある縦孔も上拡がりに傾斜している。その結果、このように上拡がりに傾斜している縦孔に被覆材用支持パイプの両端を挿入した状態で、被覆材に強風が作用した場合は、アーチ状の支持パイプ先端が縦孔に入り込む方向の力を受けるため、被覆材が剥がされる恐れは少ない。また、支持パイプ両端の上拡がりに傾斜している部分で左右の縦孔を挟む状態となっているので、支持パイプ全体が容易に離脱する恐れはない。さらに、前記平行壁は、上側が開くように傾斜しているので、平行壁の外側で立って作業する際に、平行壁の地面側がコンクリート枠内側に退避することになって、足を踏み込むための空間ができ、嵩上げ土壌上の植物が間近に近寄ることになり、手作業が楽になる。
【００１６】
請求項５のように、コンクリートパネルの上側外面には被覆材の取付け手段を有するので、アーチ状パイプの上に被せた被覆材の端部を確実に平行壁側に固定して、ハウス内の植物が台風で損傷したりするのを防止でき、被覆材の端部の強風によるばたつきも抑止できる。
【００１７】
請求項６のように、複数組のコンクリート枠を配列し、隣接するコンクリート枠の間に作業用の通路を設けてあるため、通路を利用して運搬したり、通路両側のコンクリート枠中の土壌を管理したり農作業ができ、便利である。
【００１８】
請求項７のように、高さが地面から６０〜１１０ｃｍの平行壁から成る矩形状その他のコンクリート枠を形成して、その中に、地面と連続して土壌を収納してなる嵩上げ土壌台において、前記平行壁の上端に設けた縦孔に支持パイプの両端を挿入して支持し、各支持パイプ上に被覆材を被せるため、強風を受けても、通常のハウスに比較して高さが極端に低いので風当たりが弱く、強風で被覆材が破損して内部の植物を損傷するのを防止でき、強風対策に好適である。
【００１９】
請求項８のように、前記平行壁の外側に設けた固定手段によって、前記被覆材の上に張った線材の両端を取付け固定できるため、強風時の被覆材のばたつきを抑制できる。被覆材の端部を固定してない状態では、前記線材を外すだけで容易に被覆材を開けて、ハウス内部の作業が可能となる。また、平行壁の上側外面に設けた被覆材取付け手段によって、被覆材の端部を取付け固定できるので、被覆材端部のばたつきを抑制できるほか、強風がハウス内に入るのを防止でき、被覆材や植物に対する強風対策が確実となる。
【発明を実施するための最良の形態】
【００２０】
次に本発明による嵩上げ土壌台が実際上どのように具体化されるか実施形態を説明する。図１は概要を示す斜視図で、平行壁１、２を有する箱状のコンクリート枠３の中に嵩上げ土壌４を収納してある。平行壁１、２の左右の端部は、端壁５、６で塞がれているが、端壁５、６は必ずしも平板状でなく、曲面状でもよい。
【００２１】
この嵩上げ土壌台をＡ−Ａ断面で見ると、図２のようになる。地面Ｌより深く溝を掘って、その中に前記の箱状コンクリート枠３の平行壁１、２や端壁５、６を立てて固定した状態で、箱状コンクリート枠３の中に土壌４を投入してある。コンクリート枠３は底板を有していないため、土壌４を収納した状態では、収納土壌４の下部と地面Ｌの土壌とは連続しているので、コンクリート枠３中の水は地面Ｌから地中にしみ込む。その結果、降雨の際にコンクリート枠３中に水が溜まって野菜や花卉などが根腐れを起こす恐れはない。
【００２２】
コンクリート枠３を構成する平行壁１、２や端壁５、６は、現場でコンクリートを打設して形成してもよいし、現場で基礎を施工してその上にコンクリートブロックを積んで形成してもよい。或いは、図３以下で説明するように、平行壁１、２を組立て構造にしてもよい。
【００２３】
このような嵩上げ土壌台において、平行壁１、２は、大人の腰高程度の寸法、例えば６０ｃｍ以上にしてあるため、大人が立った状態で、嵩上げ土壌４に野菜や花卉などを栽培する際の作業ができ、不自然な姿勢となる必要がない。したがって、露地栽培やハウス栽培のように中腰になる必要はなく、腰痛を来したりする恐れがない。しかも、平行壁１、２の上端に開けてある縦方向の支持孔７…に、図２のようにアーチパイプ８…の両端を挿入することによって、アーチパイプ８…を一定間隔に取付け、その上にビニールシートなどの被覆材を被せると、嵩上げ土壌４に植えた植物Ｐを強風から保護でき、強風対策に好適である。また、ビニールシートなどを張る前に防風ネットを張って遮光し、温度管理もできるので、温室としても利用できる。この防風ネットによる防風効果に加えて、害虫対策も兼ねることができる。
【００２４】
図３は、前記の平行壁１、２を組立て構造にした実施形態であり、前記平行壁１、２用の平行パネル11、12は、ほぼＵ字状の支持骨（ｒｉｂ）Ｒの支柱部９、１０の内面に支持させ、平行パネル11、12間に嵩上げ土壌４を満たすと、図４（１）（２）のようになり、植物Ｐが栽培可能となる。支持骨Ｒは、造船時に壁板を張る際の肋骨状フレームとほぼ同様な形状をしている。ただし、造船用のようなほぼＵ字状ではなく、底部は図示のように平坦（ｆｌａｔ）すなわち水平になっている。そして、その両端から支柱部９、１０が立ち上がっている。このような底部が水平のＵ字状支持骨Ｒは、内部に鉄筋を入れてプレキャストで製造される。
【００２５】
図５は、図４の嵩上げ土壌台のアーチパイプ位置における縦断面図であり、支持骨Ｒの平坦部ｆの両端と支柱部９、１０との成す隅部は、直角ではなく、椅子状の突起１３を設けて、平行パネル11、12の切り欠き１４に嵌入可能にしてある。また、支柱部９、１０の外面は鉛直となるように、平坦部ｆに対し直角になっているが、内面９ｉ、１０ｉは、上拡がりに開いている。この支持骨Ｒは、造船の際の肋骨フレームと同様に一定間隔に配置する。そのため、平坦部ｆが入る溝を一定の間隔に地面に掘り、各溝の中に、平坦部ｆを挿入し固定すると、両端の支柱部９、１０が起立し、支柱となる。
【００２６】
平行パネル11、12は長方形の平板状をしていて、下端両端と中間に、前記の椅子状の突起１３…が嵌入する切り欠き１４…を形成してあり、支持骨Ｒの支柱部９、１０の内面９ｉ、１０ｉに立てかけた際に、両端と中間の支持骨Ｒの椅子状突起１３…を嵌入させると、図３の右側や図４（３）のように、各支柱部９、１０の内面９ｉ、１０ｉに立てかけ支持される。上拡がりに開き、傾斜している内面９ｉ、１０ｉに対し、椅子状突起１３…の上面は直角になっている。
【００２７】
一方、平行パネル11、12の両面に対し、下端の各切り欠き１４…の内面も直角に形成されているため、前記のように立てかけた際に、各切り欠き１４…の天井面１４ｔと該天井面１４ｔを載置支持している椅子状突起１３…の上面は、図５のように支持骨Ｒの内側が高くなる登り勾配となる。その結果、傾斜している内面９ｉ、１０ｉに立てかけてある平行パネル11、12は、支持骨Ｒの内側に容易に倒れたりする恐れはない。切り欠き１４…は、中間のコ字状切り欠き１４の幅がＷとすると、両端のＬ字状切り欠き１４の幅をＷ／２に形成してあるので、隣接する平行パネル11・11間又は12・12間の隣接する二つのＬ字状切り欠き１４・１４が、共通の１本の支柱部９又は１０の椅子状突起１３の上に載置されることになる。なお、１枚の平行パネル11又は12を４本以上の支持骨Ｒで支持することも可能である。
【００２８】
このようにして、支持骨Ｒの左右両端の支柱部９、１０の内面に平行パネル11、12を立てかけた状態で、互いに対向する平行パネル11と12との間に土壌を投入して嵩上げすると、嵩上げ土壌４が完成する。なお、両端の平板状の端壁５、６は、両端の支持骨Ｒと一体に形成されている。すなわち、底部が水平のＵ字状支持骨Ｒを水平面に横倒しした状態で、そのＵ字状の内側にコンクリートを打設し養生すると、互い一体化される。端壁５、６は、平板状でなく、曲面に形成することも不可能ではない。
【００２９】
プレキャスト形成されたコンクリートパネルからなる平行パネル11、12の上端には、アーチパイプ８の両端を挿入するための支持孔７…を所定の間隔で縦方向に開けてあるため、図４（１）（２）、図５のように、各アーチパイプ８の両端を左右の平行パネル11、12の上端の支持孔７…に挿入すると、多数のアーチパイプ８…を一定の間隔で装備できる。そして、これらのアーチパイプ８…の上に防風ネット（防虫ネットや遮光ネットを兼ねる）やビニールシートなどの被覆材を被せると、図２のような小形のビニールハウスが形成される。
【００３０】
平行パネル11、12の上部外面には、防風ネットやビニールシートなどを取付け固定するための取付け手段１５を固設してある。この取付け手段１５は、板金で断面Ｃ字状の細長体を形成し、その中に防風ネットやビニールシートなどの端部を押し込み、その上からジグザグ状の線バネを嵌め込んで押さえつける構造であり、市販品をそのまま利用できる。したがって、前記のように、図４（１）（２）の多数のアーチパイプ８…の上に被せた被覆材の左側の端部は、左側の平行パネル11の上部外面の取付け手段１５を用いて、平行パネル11側に取付け固定しておく。同様にして被覆材の右側の端部は、右側の平行パネル12の上部外面の取付け手段１５を用いて、平行パネル12側に取付け固定しておくと、強風がハウス内に入って内部の植物を損傷したり、強風で被覆材がばたついたりできず、強風対策は万全である。
【００３１】
強風時以外の平常時は、被覆材の片方は取付け手段１５に取付け固定しないで、自由にしておくのがよい。そして、隣接する支持孔７・７間において、平行パネル11、12の外面にフックやリング１６などを設けておいて、被覆材の上にアーチパイプ８と平行に張った押さえロープの両端を取付け固定しておくのがよい。その結果、通常はロープで被覆材を仮に押さえておき、アーチパイプ８内の植物Ｐの手入れなどの作業を行なう場合には、ロープの一端を外して、被覆材を巻き上げることによって、嵩上げ土壌４を露出させ、農作業ができる。
【００３２】
作業が終わると、被覆材をアーチパイプ８の上に被せた状態で、その上のロープの両端を平行パネル11、12外面のフックやリング１６などに縛りつけておくだけでよい。そして、強風時だけ、被覆材の両端を取付け手段１５に取付け固定しておけるので、日常の農作業の妨げとなることはない。なお、強風時も、被覆材の両端を取付け手段１５に取付け固定した状態において、さらに被覆材の上にロープを張って、その両端を平行パネル外面のフックやリング１６などに固定しておくと、被覆材の強風によるばたつきなどを抑止できる。
【００３３】
図５に示すアーチパイプ８の両端の平行パネル11、12や平行壁１、２への取付けバー部８ｂの長さ（高さ）寸法を長くすることによって、アーチパイプ８の高さをより高くして、栽培する植物の高さに対応できる。取付けバー部８ｂの部分の長さの異なるアーチパイプに代えて、取付けバー部８ｂの長さ寸法は一定とし、着脱式バーを着脱することによって、アーチパイプ８の高さを可変構造にすることもできる。
【００３４】
以上のような嵩上げ土壌台を図４のように例えば３列平行に設けておくと、野菜や花卉などを量産できる。隣接する嵩上げ土壌台の間は、通路として有効利用できる。例えば台車などが移動可能にしておくと、収穫した野菜や花卉、肥料などの運搬が楽に行なえる。また、マットやシートなどを敷いておけば、雨天時に泥んこ道とならず、通路として使用し易い。  
【００３５】
底部が水平のＵ字状支持骨Ｒを使用しないで、嵩上げ土壌台を形成するには、複数のＨ型鋼を支柱部９、１０…と同様に一定間隔に打ち込んでおき、隣接するＨ型鋼の互いに対向する縦溝の中にプレキャスト製の平行パネル11、12を挿入することによって、平行壁１、２を実現できる。両端の端壁５、６は、現場で型枠を用いてコンクリート打設したり、コンクリートブロックを積み上げることで、実現できる。
【産業上の利用可能性】
【００３６】
以上のように、本発明による嵩上げ土壌台によると、野菜や花卉栽培などの農作業が自然に立った姿勢でできるので、疲労度が少なく、腰痛なども軽減できる。しかも、水はけや強風、遮光、防虫などの対策も容易になるので、台風が多く日差しの強い沖縄の農業に適している。
【図面の簡単な説明】
【００３７】
【図１】本発明による嵩上げ土壌台の概要を示す斜視図である。
【図２】図１の嵩上げ土壌台のＡ−Ａ断面図である。
【図３】左右の平行壁を組立て式にした嵩上げ土壌台の実施形態を示す斜視図である。
【図４】完成した組立て式の嵩上げ土壌台に嵩上げ土壌を入れる前と入れた後の状態を示す斜視図である。
【図５】図４の嵩上げ土壌台のアーチパイプ位置における断面図である。
【符号の説明】
【００３８】
１  左側の平行壁
２  右側の平行壁
３  箱状のコンクリート枠
４  嵩上げ土壌
５・６  端壁
７  支持用の縦孔
８  アーチパイプ
９  左側の支柱部
９ｉ  左側の支柱部の内面
１０  右側の支柱部
１０ｉ  右側の支柱部の内面
１１  左側の平行パネル
１２  右側の平行パネル
Ｒ  支持骨
ｆ  水平の底部
１３  椅子状の突起
１４  切り欠き
１５  被覆材端部の取付け手段
１６  フック又はリング
【図１】
2008061613.tif 000003
【図２】
2008061613.tif 000004
【図３】
2008061613.tif 000005
【図４】
2008061613.tif 000006
【図５】
2008061613.tif 000007